(57)【特許請求の範囲】
【請求項１】
電話音声データの制御を行うゲートキーパ、公衆回線を収容するゲートウェイ、インターネット接続用ルータを収容するＬＡＮスイッチと、
該ＬＡＮスイッチに収容され、二線式の電話線を介してアナログまたはデジタル電話機を収容すると共に、該電話機に電源を供給する給電機能、停電時にバックアップ電源より給電を継続し、該バックアップ電源による給電の停止時には上記電話機を公衆回線に切換接続する切換接続機能、ＬＡＮへのインターフェース機能を有するラインカードと、
を有することを特徴とする音声スイッチシステム。
【請求項２】
上記ＬＡＮスイッチは、ＶＬＡＮ機能、遠隔制御・管理機能を有し、上記電話機側の二線式の電話線には、ＬＡＮインターフェースを有する第１のアダプタを介してデータ通信用端末を接続し、上記ラインカード側の二線式の電話線は、ＬＡＮインターフェースを有する第２のアダプタを介して上記ＬＡＮスイッチにも接続して、
音声とデータとを異なる周波数帯域を使用して上記二線式の電話線に重畳して同時に伝送可能に構成したことを特徴とする請求項１に記載の音声スイッチシステム。
【請求項３】
上記第２のアダプタを上記ＬＡＮスイッチ内に収容したことを特徴とする請求項２に記載の音声スイッチシステム。
【請求項４】
上記ＬＡＮスイッチを音声用とデータ用とに分離し、少なくとも音声用ＬＡＮスイッチにはＶＬＡＮ機能、遠隔制御・管理機能を持たせて、該音声用ＬＡＮスイッチに上記ゲートキーパ、ゲートウェイおよびラインカードを収容し、データ用ＬＡＮスイッチには上記インターネット接続用ルータおよび第２のアダプタを収容したことを特徴とする請求項１，２または３に記載の音声スイッチシステム。
【発明の詳細な説明】
【０００１】
【発明の属する技術分野】
本発明は、ＩＰ化した音声信号にキーテレホン、ＰＢＸ、セントレックス等のサービスを提供し、同時にインターネットアクセスを提供する音声スイッチシステムに関するものである。
【０００２】
【従来の技術】
最近、ｅ−コマース等のインターネットサービス機能を提供するルータ、サーバ、スイッチング・ハブ等を含むＬＡＮシステムと、既存のキーテレホン、ＰＢＸ、セントレックス等の音声交換サービス機能をＩＰ化して統合することにより、多彩なサービスを提供する音声スイッチシステムが提案されている。
【０００３】
図２は、従来提案されている音声スイッチシステムの構成例を示すものである。この音声スイッチシステムは、テレホンユーザインターフェース（ＴＵＩ）を提供するクライアントコンポーネント５０、電話サービスを提供するサーバコンポーネント６０、および公衆網とのインターフェースを提供するゲートウェイ（ＧＷ）コンポーネント７０を有しており、これらはＬＡＮケーブルを介してＬＡＮスイッチに収容されている。
【０００４】
クライアントコンポーネント５０には、ＩＰ電話機５１、ネットミーティング等を行うパソコン（ＰＣ）を有するソフトホン５２、コールセンタを構成するＩＰ電話機５３およびＰＣ５４等が収容されており、サーバコンポーネント６０には、コールマネージャ（ゲートキーパ）６１、およびメールサーバ、ウェブサーバ、グループウェア等の汎用サーバ群６２が収容されている。
【０００５】
また、ＧＷコンポーネント７０には、ＶｏＩＰＧＷ７１およびＶｏＩＰＴＡ７２が収容されており、ＶｏＩＰＴＡ７２に、コードレス電話の基地局７５、２線式（２Ｗ）のアナログまたはデジタル電話機７６、ファクシミリ装置７７等の既設端末を収容するようになっている。
【０００６】
なお、図２にはＩＰ化された音声の交換サービスに関連する機器類のみを示したが、インターネット用のＰＣ、ルータ、ファイルウォール、プロキシサーバ等の共存も可能となっている。
【０００７】
図２に示す音声スイッチシステムによると、既存の音声交換サービス機能をＩＰ化してＬＡＮシステムに統合しているので、通信費、運用管理費を低減できると共に、多彩なサービスを提供することが可能となる。例えば、音声とデータとを統合することにより、「click to dial」（クリック・ツー・ダイヤル）等のサービスが可能となり、ｅ−コマース、ヘルプデスク、遠隔教育、企業内教育、テレビ電話会議、ＣＴＩ等のサービスで、ウェブ上で画面をクリックすることによりブラウザで画面を見ながら会話を行うことが可能になる。
【０００８】
【発明が解決しようとする課題】
ところで、一般に、インターネット接続に関する機器類は、商用電源から給電を受けるローカル給電となっており、停電時の対策として無停電電源装置等が用いられている。また、ＩＰ電話機を収容する従来のＬＡＮシステムでは、ＬＡＮケーブルからＩＰ電話機へ給電することが困難であるため、ＩＰ電話機には個々に商用電源から給電するようにしており、停電時のバックアップについては十分考慮されていないと共に、ＩＰ電話機そのものを公衆回線に切り替え接続することは不可能となっている。
【０００９】
このため、図２に示した音声スイッチシステムを構成する場合には、停電時の対策としてシステム全体をバックアップしてもＩＰ電話機そのものを公衆回線に切り替え接続することができないため、障害時や災害時の対策が困難となる。
【００１０】
また、従来のＬＡＮシステムにあっては、送信した信号も受信した信号もブロードキャストされて他のポートへ伝送されるため、セキュリティが充分でないという問題があると共に、ＩＰパケット化された音声信号が、遅延、ゆらぎ、パケットロスの影響を受け易いという問題がある。さらに、ＩＰ端末の増設の際には、ＩＰ音声交換サービスを提供するために新規にＬＡＮケーブルを敷設し、伝送機器類を増設する必要があることから、機器費、工事費の増大を招くことが懸念される。
【００１１】
したがって、かかる点に鑑みてなされた本発明の主たる目的は、障害時や災害時に容易に対処できる音声スイッチシステムを提供することにある。
【００１２】
【課題を解決するための手段】
上記目的を達成する請求項１に係る音声スイッチシステムの発明は、電話音声データの制御を行うゲートキーパ、公衆回線を収容するゲートウェイ、インターネット接続用ルータを収容するＬＡＮスイッチと、
該ＬＡＮスイッチに収容され、二線式の電話線を介してアナログまたはデジタル電話機を収容すると共に、該電話機に電源を供給する給電機能、停電時にバックアップ電源より給電を継続し、該バックアップ電源による給電の停止時には上記電話機を公衆回線に切換接続する切換接続機能、ＬＡＮへのインターフェース機能を有するラインカードと、
を有することを特徴とするものである。
【００１３】
請求項１に係る発明によると、ＬＡＮスイッチにラインカードおよび二線式の電話線を介してアナログまたはデジタル電話機が収容され、常時はラインカードから電話機に電源が給電されてＬＡＮスイッチを介して通話が可能となり、停電時にはラインカードを介してバックアップ電源からの給電が継続され、該バックアップ電源による給電の停止時にはラインカードにより電話機が公衆回線に切換接続されて通話が可能となるので、障害時や災害時にも容易に対処することが可能となる。
【００１４】
請求項２に係る発明は、請求項１に記載の音声スイッチシステムにおいて、上記ＬＡＮスイッチは、ＶＬＡＮ機能、遠隔制御・管理機能を有し、上記電話機側の二線式の電話線には、ＬＡＮインターフェースを有する第１のアダプタを介してデータ通信用端末を接続し、上記ラインカード側の二線式の電話線は、ＬＡＮインターフェースを有する第２のアダプタを介して上記ＬＡＮスイッチにも接続して、
音声とデータとを異なる周波数帯域を使用して上記二線式の電話線に重畳して同時に伝送可能に構成したことを特徴とするものである。
【００１５】
このように、ＬＡＮスイッチにＶＬＡＮ機能、遠隔制御・管理機能を持たせ、二線式の電話線に音声とデータとを異なる周波数帯域を使用して重畳して同時に伝送可能とすることにより、ＤＳＬ方式での通信が可能となり、セキュリティを確保することができると共に、ＩＰ端末の増設の際には、ＩＰ音声交換サービスを提供するために新規にＬＡＮケーブルを敷設したり、伝送機器類を増設する必要がなくなり、機器費、工事費を削減することが可能となる。
【００１６】
請求項３に係る発明は、請求項２に記載の音声スイッチシステムにおいて、上記第２のアダプタを上記ＬＡＮスイッチ内に収容したことを特徴とするものである。
【００１７】
このようにすれば、外付け機器が少なくなり、システム構成を簡単にすることが可能となる。
【００１８】
請求項４に係る発明は、請求項１，２または３に記載の音声スイッチシステムにおいて、上記ＬＡＮスイッチを音声用とデータ用とに分離し、少なくとも音声用ＬＡＮスイッチにＶＬＡＮ機能、遠隔制御・管理機能を持たせて、該音声用ＬＡＮスイッチに上記ゲートキーパ、ゲートウェイおよびラインカードを収容し、データ用ＬＡＮスイッチには上記インターネット接続用ルータおよび第２のアダプタを収容したことを特徴とするものである。
【００１９】
このように、ＬＡＮスイッチを音声用とデータ用とに分離することにより、ＩＰパケット化された音声信号が遅延、ゆらぎ、パケットロスの影響を受けるのを容易に回避することが可能となる。
【００２０】
【発明の実施の形態】
以下、本発明に係る音声スイッチシステムの一実施の形態について、図１を参照して説明する。
【００２１】
図１に示す音声スイッチシステムでは、ＬＡＮスイッチとして、音声用のスイッチング・ハブ１とデータ用のスイッチング・ハブ２とを用い、少なくともスイッチング・ハブ１にはＶＬＡＮ機能および遠隔制御・管理機能を持たせて、該スイッチング・ハブ１をスイッチング・ハブ２を介してインターネット接続用ルータ３に接続する。
【００２２】
スイッチング・ハブ１には、ゲートキーパ４およびゲートウェイ５を収容し、ゲートウェイ５を介してスイッチング・ハブ１を公衆回線（専用線も含む）に接続する。また、スイッチング・ハブ１には、複数のラインカード、ここでは２個のラインカード６−１および６−２を収容し、これらラインカード６−１，６−２にそれぞれ二線式の電話線７−１，７−２を介してアナログまたはデジタル電話機８−１，８−２を収容する。
【００２３】
ラインカード６−１，６−２の各々は、収容するアナログまたはデジタル電話機に電源を供給する給電機能、停電時にバックアップ電源（図示せず）より給電を継続し、該バックアップ電源による給電の停止時には収容するアナログまたはデジタル電話機を公衆回線に切換接続する切換接続機能、ＬＡＮへのインターフェース機能を有して構成する。
【００２４】
ここでは、ラインカード６−１に公衆回線または専用線を収容し、常時はラインカード６−１からアナログまたはデジタル電話機８−１に電源を給電し、停電時にはラインカード６−１を介してバックアップ電源からの給電を継続して、ラインカード６−１、スイッチング・ハブ１およびゲートウェイ５を介して通話を行うようにし、バックアップ電源からの給電が停止した時は、ラインカード６−１によりアナログまたはデジタル電話機８−１を公衆回線または専用線に接続を切換えて局側から給電して通話を可能とする。
【００２５】
また、ラインカード６−２に収容された二線式の電話線７−２には、アナログまたはデジタル電話機８−２側にアドオンでアダプタ９−１を介してパソコン１０−１を接続し、ラインカード６−２側には同様にアダプタ９−２を接続して、該アダプタ９−２をスイッチング・ハブ２の所要のポートに接続する。
【００２６】
これによりラインカード６−２側では、音声とデータとを異なる周波数帯域を使用して二線式の電話線７−２に重畳し、音声はスイッチング・ハブ１を介して、データはスイッチング・ハブ２を介してＤＳＬ方式により同時に伝送できるようにする。
【００２７】
一方、スイッチング・ハブ２には、上記のインターネット接続用ルータ３の他に、クライアントコンポーネントを構成するＩＰ電話機１１、パソコン１０−２、サーバ１２を収容する。
【００２８】
本実施の形態によると、停電時にバックアップ電源からの給電が停止した時は、アナログまたはデジタル電話機８−１がラインカード６−１により公衆回線または専用線に接続が切換えられるで、障害時や災害時にも容易に対処することができる。また、スイッチング・ハブ１にＶＬＡＮ機能および遠隔制御・管理機能を持たせ、ＤＳＬ方式により音声とデータとを同時に伝送するようにしたので、セ              キュリティを確保することができると共に、ＩＰ端末の増設の際に新規にＬＡＮケーブルを敷設したり、伝送機器類を増設する必要がなく、機器費、工事費を削減することができる。さらに、ＬＡＮスイッチを音声用のスイッチング・ハブ１とデータ用のスイッチング・ハブ２とに分離したので、ＩＰパケット化された音声信号の遅延、ゆらぎ、パケットロスの影響を容易に回避することができる。また、各ラインカードには、二線式の電話線を介してアナログまたはデジタル電話機を収容させ、さらにデータ通信を行なう場合には、二線式の電話線にアダプタを追加することにより、ＤＳＬ方式で通信を行なうことができるので、既設配線の電話線を有効に活用して簡単かつ安価にシステムを構築することができる。
【００２９】
なお、本発明は上述した実施の形態にのみ限定されるものではなく、幾多の変更または変形が可能である。例えば、図１では、スイッチング・ハブ１および２を別体に構成したが、これらは同一ハードに論理的に別々に構成することもできる。また、スイッチング・ハブ２側のＤＳＬ用のアダプタ９−２は、スイッチング・ハブ２に内蔵させることもできる。このようにすれば、外付け機器が少なくなり、システム構成をより簡単にすることができる。さらに、スイッチング・ハブ１に収容するラインカードの数は任意に設定できると共に、バックアップ電源からの給電が停止した時に、公衆回線または専用線に接続するアナログまたはデジタル電話機の数や、ＤＳＬ方式の通信を行なう端末数も任意に設定することができる。
【００３０】
【発明の効果】
本発明によれば、ＬＡＮスイッチにラインカードおよび二線式の電話線を介してアナログまたはデジタル電話機を収容し、常時はラインカードから電話機に電源を給電し、停電時にはラインカードを介してバックアップ電源からの給電を継続し、該バックアップ電源による給電の停止時にはラインカードにより上記電話機を公衆回線に切換接続するようにしたので、障害時や災害時にも容易に対処することができる。
【図面の簡単な説明】
【図１】  本発明に係る音声スイッチシステムの一実施の形態を示す構成図である。
【図２】  従来の技術を説明するための図である。
【符号の説明】
１，２  スイッチング・ハブ
３  インターネット接続用ルータ
４  ゲートキーパ
５  ゲートウェイ
６−１，６−２  ラインカード
７−１，７−２  二線式の電話線
８−１，８−２  アナログまたはデジタル電話機
９−１，９−２  アダプタ
１０−１，１０−２  パソコン
１１  ＩＰ電話機
１２  サーバ
【図１】
0003645481.tif 000002
【図２】
0003645481.tif 000003